(57)【要約】  本発明の表示システムは、液晶プラットフォーム部（２００）を備える。上記液晶プラットフォーム部（２００）は、液晶ワイドインパネ（１００）において表示すべきシーン全てを表示するのに必要なデータを格納するＦｌａｓｈＲＯＭ（２０３）と、上記ＦｌａｓｈＲＯＭ（２０３）から転送されたコードイメージデータを格納するＲＡＭ（２０４）と、上記ＲＡＭ（２０４）に転送されたコードイメージデータから上記表示用データを生成するＤＩＣ（２０１）とを備える。ＤＩＣ（２０１）は、表示システム起動時に、上記ＦｌａｓｈＲＯＭ（２０３）に記憶されたデータのうち表示システム起動時に表示すべき画像のデータのみを上記ＲＡＭ（２０４）に転送させ、転送が完了したデータから上記表示用データを生成する。既存のハードウエアをできるだけ使用して、表示システムを起動させて、最初のシーンの表示までの時間を短縮させることで、操作性の向上を図ることができる。
2009060660.tif 000002
【特許請求の範囲】
【請求項１】
操縦可能な移動体に搭載された表示システムであって、
上記移動体に関する複数種類の情報を画像として表示する表示装置と、
上記表示装置において表示すべき画像を予め設定したシーン毎に表示用データとして当該表示装置に出力する表示用データ出力装置とを備え、
上記表示用データ出力装置は、
上記表示装置において表示すべきシーン全てを表示するのに必要なデータを格納する第１記憶部と、
上記第１記憶部から転送されたデータを格納する第２記憶部と、
上記移動体に関する情報を取得したときに、上記第２記憶部に転送されたデータから取得した情報に対応したデータを読み出して上記表示用データを生成し、生成した表示用データを上記表示装置に出力する表示用データ生成手段とを有し、
上記表示用データ生成手段は、
表示システム起動時に、上記第１記憶部に記憶されたデータのうち表示システム起動時に表示すべき画像のデータのみを上記第２記憶部に転送させ、転送が完了したデータから上記表示用データを生成することを特徴とする表示システム。
【請求項２】
上記第１記憶部には、表示システム起動に関連するデータのほかに、各シーンの表示に必要なデータが記憶されており、
上記表示用データ生成手段は、
表示システム起動後に、上記シーンに関する情報を取得したとき、該シーンに対応するデータを、上記第１記憶部から第２記憶部に転送させ、転送が完了したデータから上記表示用データを生成することを特徴とする請求項１に記載の表示システム。
【請求項３】
上記表示用データ生成手段は、
表示システム起動後に、上記シーンに関する情報を取得したとき、該シーンに対応するデータが、上記第２記憶部に記憶されているか否かを判断し、記憶されていない場合に、当該データを、上記第１記憶部から第２記憶部に転送させ、記憶されている場合には、当該第２記憶部から読み出し、このデータから上記表示用データを生成することを特徴とする請求項１または２に記載の表示システム。
【請求項４】
上記第１記憶部に記憶される表示システム起動時に表示すべき画像のデータは、各シーンの表示時に使用される頻度が所定回数以上で、且つ、データ容量が所定容量以下であるデータからなることを特徴とする請求項１〜３の何れか１項に記載の表示システム。
【請求項５】
上記第１記憶部に記憶される表示システム起動時に表示すべき画像のデータは、上記第１記憶部から上記第２記憶部へのデータの転送容量と、転送時間との関係から決定されていることを特徴とする請求項１〜３の何れか１項に記載の表示システム。
【請求項６】
上記表示用データ生成手段は、簡易型のシーケンサーを備え、
上記シーケンサーが、上記第１記憶部に記憶されたデータを、上記第２記憶部へ転送させることを特徴とする請求項１〜５の何れか１項に記載の表示システム。
【請求項７】
上記移動体は、車両であることを特徴とする請求項１〜６の何れか１項に記載の表示システム。
【請求項８】
操縦可能な移動体に搭載され、上記移動体に関する複数種類の情報を画像として表示する表示装置において表示すべき画像を予め設定したシーン毎に表示用データとして当該表示装置に出力する表示用データ出力装置において、
上記表示装置において表示すべきシーン全てを表示するのに必要なデータを格納する第１記憶部と、
上記第１記憶部から転送されたデータを格納する第２記憶部と、
上記移動体に関する情報を取得したときに、上記第２記憶部に転送されたデータから取得した情報に対応したデータを読み出して上記表示用データを生成し、生成した表示用データを上記表示装置に出力する表示用データ生成手段とを有し、
上記表示用データ生成手段は、
表示システム起動時に、上記第１記憶部に記憶されたデータのうち表示システム起動時に表示すべき画像のデータのみを上記第２記憶部に転送させ、転送が完了したデータから上記表示用データを生成することを特徴とする表示用データ出力装置。
【請求項９】
上記第１記憶部には、表示システム起動に関連するデータのほかに、各シーンの表示に必要なデータが記憶されており、
上記表示用データ生成手段は、
表示システム起動後に、上記シーンに関する情報を取得したとき、該シーンに対応するデータを、上記第１記憶部から第２記憶部に転送させ、転送が完了したデータから上記表示用データを生成することを特徴とする請求項８に記載の表示用データ出力装置。
【請求項１０】
上記表示用データ生成手段は、
表示システム起動後に、上記シーンに関する情報を取得したとき、該シーンに対応するデータが、上記第２記憶部に記憶されているか否かを判断し、記憶されていない場合に、当該データを、上記第１記憶部から第２記憶部に転送させ、記憶されている場合には、当該第２記憶部から読み出し、このデータから上記表示用データを生成することを特徴とする請求項８または９に記載の表示用データ出力装置。
【請求項１１】
上記第１記憶部に記憶される表示システム起動時に表示すべき画像のデータは、各シーンの表示時に使用される頻度が所定回数以上で、且つ、データ容量が所定容量以下であるデータからなることを特徴とする請求項８〜１０の何れか１項に記載の表示用データ出力装置。
【請求項１２】
上記第１記憶部に記憶される表示システム起動時に表示すべき画像のデータは、上記第１記憶部から上記第２記憶部へのデータの転送容量と、転送時間との関係から決定されていることを特徴とする請求項８〜１０の何れか１項に記載の表示用データ出力装置。
【請求項１３】
上記表示用データ生成手段は、簡易型のシーケンサーを備え、
上記シーケンサーが、上記第１記憶部に記憶されたデータを、上記第２記憶部へ転送させることを特徴とする請求項８〜１２の何れか１項に記載の表示用データ出力装置。
【請求項１４】
上記移動体は、車両であることを特徴とする請求項８〜１３の何れか１項に記載の表示用データ出力装置。
【請求項１５】
操縦可能な移動体に搭載され、上記移動体に関する複数種類の情報を画像として表示する表示装置において表示すべき画像を予め設定したシーン毎に表示用データとして当該表示装置に出力し、上記表示装置において表示すべきシーン全てを表示するのに必要なデータを格納する第１記憶部と、上記第１記憶部から転送されたデータを格納する第２記憶部と、上記移動体に関する情報を取得したときに、上記第２記憶部に転送されたデータから取得した情報に対応したデータを読み出して上記表示用データを生成し、生成した表示用データを上記表示装置に出力する表示用データ生成手段とを有する表示用データ出力装置に備えられた表示制御装置であって、
表示システム起動時に、上記第１記憶部に記憶されたデータのうち表示システム起動時に表示すべき画像のデータのみを上記第２記憶部に転送させ、転送が完了したデータから上記表示用データを生成するように上記表示用データ生成手段を制御ことを特徴とする表示制御装置。
【請求項１６】
上記第１記憶部には、表示システム起動に関連するデータのほかに、各シーンの表示に必要なデータが記憶されており、
表示システム起動後に、上記シーンに関する情報を取得したとき、該シーンに対応するデータを、上記第１記憶部から第２記憶部に転送させ、転送が完了したデータから上記表示用データを生成するように上記表示用データ生成手段を制御することを特徴とする請求項１５に記載の表示制御装置。
【請求項１７】
表示システム起動後に、上記シーンに関する情報を取得したとき、該シーンに対応するデータが、上記第２記憶部に記憶されているか否かを判断し、記憶されていない場合に、当該データを、上記第１記憶部から第２記憶部に転送させ、記憶されている場合には、当該第２記憶部から読み出し、このデータから上記表示用データを生成するように上記表示用データ生成手段を制御することを特徴とする請求項１５または１６に記載の表示制御装置。
【請求項１８】
上記第１記憶部に記憶される表示システム起動時に表示すべき画像のデータは、各シーンの表示時に使用される頻度が所定回数以上で、且つ、データ容量が所定容量以下であるデータからなることを特徴とする請求項１５〜１７の何れか１項に記載の表示制御装置。
【請求項１９】
上記第１記憶部に記憶される表示システム起動時に表示すべき画像のデータは、上記第１記憶部から上記第２記憶部へのデータの転送容量と、転送時間との関係から決定されていることを特徴とする請求項１５〜１７の何れか１項に記載の表示制御装置。
【請求項２０】
上記表示用データ生成手段は、簡易型のシーケンサーを備え、
上記シーケンサーが、上記第１記憶部に記憶されたデータを、上記第２記憶部へ転送させることを特徴とする請求項１５〜１９の何れか１項に記載の表示制御装置。
【請求項２１】
上記移動体は、車両であることを特徴とする請求項１５〜１９の何れか１項に記載の表示制御装置。
【請求項２２】
操縦可能な移動体に搭載され、上記移動体に関する複数種類の情報を画像として表示する表示装置において表示すべき画像を予め設定したシーン毎に表示用データとして生成する表示用データ生成手段と、上記表示装置において表示すべきシーン全てを表示するのに必要なデータを格納する第１記憶部と、上記第１記憶部から転送されたデータを格納する第２記憶部とを有し、上記表示用データ生成手段が、上記移動体に関する情報を取得したときに、上記第２記憶部に転送されたデータから取得した情報に対応したデータを読み出し生成した表示用データを上記表示装置に出力する表示用データ出力装置を制御する表示制御方法であって、
表示システム起動時に、上記第１記憶部に記憶されたデータのうち表示システム起動時に表示すべき画像のデータのみを上記第２記憶部に転送させ、転送が完了したデータから上記表示用データ生成手段に上記表示用データを生成させるステップを含むことを特徴とする表示制御方法。
【請求項２３】
コンピュータを、クレーム１５〜２１の何れか１項に記載の表示制御装置の手段として機能させる表示制御プログラム。
【請求項２４】
クレーム２３に記載の表示制御プログラムを記録したコンピュータ読み取り可能な記録媒体。
【発明の詳細な説明】
【技術分野】
【０００１】
本発明は、車両等操縦可能な移動体に搭載する表示システムに関する。
【背景技術】
【０００２】
近年、自動車等のインストルメントパネル（以下、インパネと称する）搭載用の表示システムとして、走行速度やエンジン回転数等の車両状態情報の他に、ナビゲーション画像等の運転を支援するような情報を付加的画像としてディスプレイ（表示部）に表示させる表示システムが提案されている。【０００３】
例えば、特許文献１に開示されている表示システムは、図９に示すように、表示装置としての液晶ワイドインパネ１１００と、該液晶ワイドインパネ１１００に対して表示用データを供給する表示用データ出力装置としての液晶プラットフォーム部１２００と、該液晶プラットフォーム部１２００に対して表示用データ生成のための画像データを供給する入力ストリーム部１３００とを含んだ構成となっている。【０００４】
上記液晶ワイドインパネ１１００は、自動車のインパネとして使用され、横長（例えば、アスペクト比が３：７以上）の液晶表示パネルからなり、上記液晶プラットフォーム部１２００から供給される表示用データに応じた画像を表示するようになっている。【０００５】
ここで、上記液晶プラットフォーム部１２００は、表示用データを生成するＤＩＣ（Digital Image Composer)１２０１と、ＤＩＣ１２０１を制御するマイコン１２０２とを備えた構成となっている。上記ＤＩＣ１２０１には、ＦｌａｓｈＲＯＭ１２０３とＲＡＭ１２０４とが接続されている。【０００６】
ＤＩＣ１２０１に接続されているＦｌａｓｈＲＯＭ１２０３には、当該ＤＩＣ１２０１をコントロールするためのＣｏｄｅデータおよび表示に用いるＩｍａｇｅデータがあらかじめ登録されている。例えば、ＦｌａｓｈＲＯＭ１２０３には、図１０に示すようなＣｏｄｅ／Ｉｍａｇｅデータが登録されている。【０００７】
ＤＩＣ１２０１は、マイコン１２０２からのコマンドに従い、ＦｌａｓｈＲＯＭ１２０３のＣｏｄｅ／Ｉｍａｇｅデータを処理することにより、液晶ワイドインパネ１１００上に入力ストリーム１３００であるカーナビやＣＣＤカメラなどの映像を任意のレイアウトで表示することができる。【０００８】
マイコン１２０２には、車内ネットワーク（ＣＡＮ：Computer Aided Manufacturingなど）経由で車内からのあらゆる情報（スピード、燃料残などの移動体情報）が入力される。マイコン１２０２は、これらの情報から切り替えるべきシーンを決定し、コマンドとして同シーンのインデックス番号をＤＩＣ１２０１に送信することにより、液晶ワイドインパネ１１００上の表示レイアウトが変更される。【０００９】
Ｃｏｄｅ／Ｉｍａｇｅデータの構造は、例えば図１０に示すような構造となっている。すなわち、先頭のコマンド領域にはインパネのレイアウトを構成するためのコマンド群が登録されている。また、これに続くイメージ領域１、イメージ領域２…イメージ領域にはレイアウトを構成する部品のイメージデータが登録されている。【００１０】
上記Ｃｏｄｅ／Ｉｍａｇｅデータは、図１１に示すように、各シーンに対応する表示画像をデジタルデータに変換したデータである。【００１１】
ＤＩＣ１２０１は、シーン毎に対応したＣｏｄｅ／Ｉｍａｇｅデータを読み出して、対応するシーンの表示用データを液晶ワイドインパネ１１００に出力するようになっている。【００１２】
ＤＩＣ１２０１は、マイコン１２０２からのシーンの切り替えを示すコマンドが入力されることにより、ＲＡＭ１２０４に登録されているＣｏｄｅ／Ｉｍａｇｅデータを読み出すようになっている。【００１３】
図１２に、走行時、停車時およびバック時の液晶ワイドインパネ１１００の表示例を示す。これらが、例えば、３つのシーンとなる。【００１４】
まず、走行時の画面表示について説明する。図１２に示されるように、走行時には、５つの領域に画面分割した表示画面となる。操縦（運転）者から見て左側の第１領域にカーナビ画面（小）、その右の第２領域に左ミラーＣＣＤ画面、その右の第３領域にスピードメータ／タコメータ画面、その右の第４領域に燃料系／シートベルト／ドア開閉／ウィンカー画面、その右の第５領域に右ミラーＣＣＤ画面が配置されている。このような画面を表示するための表示用データの生成については後述する。【００１５】
ここで、上記３つのシーンの切り替えは、イベントによって行われる。ここで、イベントとは、例えば、走行時であれば、左折、右折等の動作を言う。【００１６】
従って、マイコン１２０２は、車内ネットワーク（ＣＡＮなど）の情報から適切なシーンを選択し、選択したシーン番号をコマンドとしてＤＩＣ１２０１に送信する。【００１７】
ＤＩＣ１２０１は、コマンドを受け取ると該当するシーンに対応するＣｏｄｅ／ＩｍａｇｅデータをＲＡＭ１２０４から読み出して、このＣｏｄｅ／Ｉｍａｇｅデータから表示用データを生成して、該表示用データを液晶ワイドインパネ１１００に出力する。【００１８】
ここで、上記ＤＩＣ１２０１の起動時の動作について、図１３（ａ）及び図１３（ｂ）を参照しながら以下に説明する。【００１９】
まず、ＤＩＣ１２０１（描画ＬＳＩ）は、図１３（ａ）に示すように、ＦｌａｓｈＲＯＭ１２０３に登録されている各種データを含んだ起動時用データをＲＡＭ１２０４に転送させる。【００２０】
次に、ＤＩＣ１２０１（描画ＬＳＩ）は、図１３（ｂ）に示すように、ＲＡＭ１２０４に転送された転送起動時用データを読み込み、各種初期化の設定を行い、液晶ワイドインパネ１１００に表示用データを出力する。【００２１】
図１４は、図９に示す表示システムにおいて実行される表示処理の流れを示すフローチャートである。【００２２】
まず、イグニッションがＯＮされたか否かを判断する（ステップＳ１０１）。ここで、イグニッションがＯＮされれば、システムが立ち上がり、ＤＩＣ１２０１は、ＦｌａｓｈＲＯＭ１２０３に格納された全てのデータをＲＡＭ１２０４へ転送する（ステップＳ１０２）。具体的には、図１３（ａ）に示す状態をいう。【００２３】
次に、ＤＩＣ１２０１は、ＲＡＭ１２０４内のＣｏｄｅ／Ｉｍａｇｅデータを読み出して、最初のシーンを表示させるための表示用データを生成し、当該表示用データを表示装置である液晶ワイドインパネ１１００に出力する（ステップＳ１０３）。【００２４】
具体的には、図１３（ｂ）に示す状態であり、マイコン１２０２が取得した移動体情報に基づいて、ＤＩＣ１２０１にＲＡＭ１２０４に格納されたＣｏｄｅ／Ｉｍａｇｅデータを読み出させる。そして、ＤＩＣ１２０１は、読み出したＣｏｄｅ／Ｉｍａｇｅデータから、表示用データを生成し、当該表示用データを液晶ワイドインパネ１１００に出力する。【００２５】
続いて、最初のシーンを表示させた状態で、ＤＩＣ１２０１は、マイコン１２０２からのコマンド入力があるか否かを判断する（ステップＳ１０４）。ここで、マイコン１２０２からのコマンド入力があると判断されれば、ステップＳ１０５に移行する。【００２６】
ステップＳ１０５では、ＤＩＣ１２０１は、指定されたコマンドに該当するシーンのＣｏｄｅ／ＩｍａｇｅデータをＲＡＭ１２０４から読み出して、当該シーンを表示させるための表示用データを生成し、当該表示用データを表示装置である液晶ワイドインパネ１１００に出力する。【００２７】
そして、イグニッションがＯＦＦさたか否かを判断する（ステップＳ１０６）。ここで、イグニッションがＯＦＦされたと判断されれば、処理を終了し、イグニッションがＯＦＦされなければ、ステップＳ１０４に移行し、マイコン１２０２からのコマンド入力を待つ。
【特許文献１】ＷＯ  ２００６／０２２１９１  Ａ１（国際公開日：２００６年３月２日）
【発明の開示】
【００２８】
ところで、上述したように、起動時には、ＤＩＣ１２０１は、図１３（ｂ）に示す状態で初めて、液晶ワイドインパネ１１００を表示可能な状態にできるので、図１３（ａ）に示す状態、すなわちＦｌａｓｈＲＯＭ１２０３からＲＡＭ１２０４へのデータ転送が完了した状態になるまでの時間をできるだけ短くする必要がある。
【００２９】
ところが、従来の表示システムでは、システム起動から最初のシーンを表示させるまでに、すべてのシーンを表示させるためのＣｏｄｅ／Ｉｍａｇｅデータを一括してＦｌａｓｈＲＯＭ１２０３からＲＡＭ１２０４に転送しているので、ＤＩＣ１２０１が最初のシーンを表示するまでに時間を要し、操作性という観点から十分でなかった。
【００３０】
そこで、液晶インパネシステムを起動させて、最初のシーンを表示するまでの時間を短縮させるために、ＤＩＣ１２０１の性能を向上させることが考えられる。つまり、ＤＩＣ１２０１の性能を向上させるには、高性能のＣＰＵを使用する必要がある。
【００３１】
しかしながら、高性能のＣＰＵは非常に高価であり、システム全体の価格を上昇させることになる。
【００３２】
また、ＣＰＵが高性能になれば、信頼性の低下という問題が生じ、安全性について問題が生じる。
【００３３】
本発明は、上記の各問題点に鑑みなされたものであって、その目的は、既存のハードウエアをできるだけ使用して、表示システムを起動させて、最初のシーンの表示までの時間を短縮させることで、操作性の向上を図ることのできる表示システムを提供することにある。
【００３４】
本発明に係る表示システムは、上記課題を解決するために、操縦可能な移動体に搭載された表示システムであって、上記移動体に関する複数種類の情報を画像として表示する表示装置と、上記表示装置において表示すべき画像を予め設定したシーン毎に表示用データとして当該表示装置に出力する表示用データ出力装置とを備え、上記表示用データ出力装置は、上記表示装置において表示すべきシーン全てを表示するのに必要なデータを格納する第１記憶部と、上記第１記憶部から転送されたデータを格納する第２記憶部と、上記移動体に関する情報を取得したときに、上記第２記憶部に転送されたデータから取得した情報に対応したデータを読み出して上記表示用データを生成し、生成した表示用データを上記表示装置に出力する表示用データ生成手段とを有し、上記表示用データ生成手段は、表示システム起動時に、上記第１記憶部に記憶されたデータのうち表示システム起動時に表示すべき画像のデータのみを上記第２記憶部に転送させ、転送が完了したデータから上記表示用データを生成することを特徴としている。
【００３５】
上記の構成によれば、表示用データ生成手段は、表示システム起動時に、上記第１記憶部に記憶されたデータのうち表示システム起動時に表示すべき画像のデータのみを上記第２記憶部に転送させ、転送が完了したデータから上記表示用データを生成することで、第１記憶部に記憶された全てのデータが第２記憶部へ転送されるまで待つことがなくなるので、表示システムの起動時、最初のシーンの表示までの時間を短縮させることが可能となる。
【００３６】
上記第１記憶部には、表示システム起動に関連するデータのほかに、各シーンの表示に必要なデータが記憶されており、上記表示用データ生成手段は、表示システム起動後に、上記シーンに関する情報を取得したとき、該シーンに対応するデータを、上記第１記憶部から第２記憶部に転送させ、転送が完了したデータから上記表示用データを生成するようにしてもよい。
【００３７】
上記表示用データ生成手段は、表示システム起動後に、上記シーンに関する情報を取得したとき、該シーンに対応するデータを、上記第１記憶部から第２記憶部に転送させ、転送が完了したデータから上記表示用データを生成するようにしているだけなので、第１記憶部から第２記憶部へのデータ転送を高速に行うために、ＣＰＵを高性能にする必要はなく、安定して駆動できる既存のＣＰＵで対応可能となる。これにより、システムの信頼性の低下を抑制できるので、表示システムを搭載した移動体における安全性を確保することができる。
【００３８】
上記表示用データ生成手段は、表示システム起動後に、上記シーンに関する情報を取得したとき、該シーンに対応するデータが、上記第２記憶部に記憶されているか否かを判断し、記憶されていない場合に、当該データを、上記第１記憶部から第２記憶部に転送させ、記憶されている場合には、当該第２記憶部から読み出し、このデータから上記表示用データを生成するようにしてもよい。
【００３９】
一度転送したデータを再度転送する必要がないので、シーン表示の処理の高速化を図ることができる。
【００４０】
上記第１記憶部に記憶される表示システム起動時に表示すべき画像のデータは、各シーンの表示時に使用される頻度が所定回数以上で、且つ、データ容量が所定容量以下であるデータで構成してもよい。
【００４１】
上記第１記憶部に記憶される表示システム起動時に表示すべき画像のデータは、上記第１記憶部から上記第２記憶部へのデータの転送容量と、転送時間との関係から決定されていてもよい。
【００４２】
上記表示用データ生成手段は、簡易型のシーケンサーを備え、上記シーケンサーが、上記第１記憶部に記憶されたデータを、上記第２記憶部へ転送させるようにしてもよい。
【００４３】
この場合、ＣＰＵの負担を減らすことができる。
【図面の簡単な説明】
【００４４】
【図１】本発明の実施形態を示すものであり、表示システムの要部構成を示すブロック図である。
【図２】各シーンと、変換後のデジタルデータとの対応関係を示す図である。
【図３】各シーンと、変換後のデジタルデータとの対応関係を示す図である。
【図４】表示用データの構造を説明する図である。
【図５】図１に示す表示システムにおけるＦｌａｓｈＲＯＭのデータ構造を示す図である。
【図６】共通データの選択支援ツールを示す図である。
【図７】図１に示す表示システムにおけるＦｌａｓｈＲＯＭからＲＡＭへのコードイメージデータの転送手順を示す図である。
【図８】図１に示す表示システムに備えられたＤＩＣによる表示用データの生成および出力の処理の流れを示すフローチャートである。
【図９】従来の表示システムの要部構成を示すブロック図である。
【図１０】図９に示すＦｌａｓｈＲＯＭのデータ格納領域を示す図である。
【図１１】各シーンと、変換後のデジタルデータとの対応関係を示す図である。
【図１２】走行時、停車時およびバック時の液晶ワイドインパネの表示例を示す図である。
【図１３（ａ）】図９に示す表示システムにおけるＦｌａｓｈＲＯＭからＲＡＭへのコードイメージデータの転送手順を示す図である。
【図１３（ｂ）】図９に示す表示システムにおけるＦｌａｓｈＲＯＭからＲＡＭへのコードイメージデータの転送手順を示す図である。
【図１４】図９に示す表示システムに備えられたＤＩＣによる表示用データの生成および出力の処理の流れを示すフローチャートである。
【図１５（ａ）】簡易型シーケンサーの動作を説明する図である。
【図１５（ｂ）】簡易型シーケンサーの動作を説明する図である。
【図１５（ｃ）】簡易型シーケンサーの動作を説明する図である。
【発明を実施するための最良の形態】
【００４５】
本発明の一実施の形態について説明すれば、以下の通りである。【００４６】
本実施の形態では、本発明の表示システムを、操縦可能な移動体の一つである自動車のインストルメントパネル（以下、インパネと称する）として用いられる、液晶インパネシステムに適用した例について説明する。【００４７】
本実施の形態に係る液晶インパネシステムは、図１に示すように、表示部としての液晶ワイドインパネ１００と、該液晶ワイドインパネ１００に対して表示用データを供給する液晶プラットフォーム部（表示用データ出力装置）２００と、該液晶プラットフォーム部２００に対して表示用データ生成のために必要な画像の一部を供給する入力ストリーム部３００とを含んだ構成となっている。【００４８】
上記液晶ワイドインパネ１００は、移動体である自動車の時間経過に伴って変化する移動体情報（車両情報）を含む複数の情報を画像として表示するようになっている。【００４９】
例えば、上記液晶ワイドインパネ１００は、自動車のインパネとして使用され、横長（例えば、アスペクト比が３：７以上）の液晶表示パネルからなり、上記液晶プラットフォーム部２００から供給される表示用データに応じた画像を表示するようになっている。【００５０】
上記液晶プラットフォーム部２００は、上記液晶ワイドインパネ１００において表示すべき画像を予め設定したシーン毎に表示用データとして当該液晶ワイドインパネ１００に出力するようになっている。【００５１】
具体的には、例えば上記液晶プラットフォーム部２００は、上記表示用データを生成するＤＩＣ２０１、該ＤＩＣ２０１を制御する制御手段としてのマイコン２０２、上記ＤＩＣ２０１に接続されたＦｌａｓｈＲＯＭ２０３及びＲＡＭ２０４を含んでいる。【００５２】
上記マイコン２０２は、車内ネットワーク（ＣＡＮ等）からネットワーク入力ポートを介して、得られる車両情報（スピード、燃料残、ハンドル回転角度などを示す情報）から、適切なシーン（後述する）を求めて、対応するシーンのインデックス番号をコマンドとしてＤＩＣ２０１に出力するようになっている。【００５３】
上記マイコン２０２内のＲＯＭには、マイコン２０２自身をコントロールするためのプログラムが格納されている。また、同マイコン２０２内のＲＡＭには、当該マイコン２０２の動作に必要なワーク領域などが確保されている。【００５４】
上記ＤＩＣ２０１は、入力ポートを介して入力される、入力ストリーム部３００からのストリーム情報（カーナビ画像、ＣＣＤカメラ画像等）と、ＲＡＭ２０４に格納された表示用データとから、マイコン２０２からのコマンドによって指定されたシーンに対応するシーンの表示データを生成し、生成した表示データを、出力ポートを介して液晶ワイドインパネ１００に出力するようになっている。なお、上記ＲＡＭ２０４に格納される表示用データの詳細については、後述する。【００５５】
上記ＦｌａｓｈＲＯＭ２０３（第１記憶部）は、表示条件情報が異なる複数種類の表示用データを格納するようになっている。つまり、ＦｌａｓｈＲＯＭ２０３には、液晶インパネシステム起動に関連するデータのほかに、各シーンの表示に必要なデータが記憶されていることになる。【００５６】
上記ＲＡＭ２０４（第２記憶部）は、上記ＦｌａｓｈＲＯＭ２０３に格納された表示用データを一時的に格納するようになっている。【００５７】
上記表示用データのＦｌａｓｈＲＯＭ２０３からＲＡＭ２０４への転送は、上述したマイコン２０２によって制御される。すなわち、マイコン２０２は、上記ＲＡＭ２０４に格納された表示用データを所定のタイミングで上記ＲＡＭ２０４に転送制御するようになっている。【００５８】
具体的には、上記マイコン２０２は、上記車両情報を取得したときに、当該車両情報から選択される上記シーンの表示データを生成するのに必要な表示用データを、ＦｌａｓｈＲＯＭ２０３からＲＡＭ２０４へ転送させるコマンドを上記ＤＩＣ２０１に出力するようになっている。【００５９】
図２に、走行時、停車時およびバック時の液晶ワイドインパネ１００の表示例を示す。これらが、例えば、３種類の異なるシーンとなる。【００６０】
まず、走行時の画面表示について説明する。図２に示されるように、走行時には、５つの画面分割となる。操縦（運転）者から見て左側の第１領域にカーナビ画面（小）、その右の第２領域に左ミラーＣＣＤ画面、その右の第３領域にスピードメータ／タコメータ画面、その右の第４領域に燃料系／シートベルト／ドア開閉／ウィンカー画面、その右の第５領域に右ミラーＣＣＤ画面が配置されている。このような画面を表示するための表示用データは以下のように生成される。【００６１】
上記の３つのシーンの切り替えは、イベントによって行われる。ここで、イベントとは、例えば、走行時であれば、左折、右折等の動作を言う。【００６２】
従って、マイコン２０２は、車内ネットワーク（ＣＡＮなど）の情報から適切なシーンを選択し、選択したシーン番号をコマンドとしてＤＩＣ２０１に送信する。【００６３】
ＤＩＣ２０１は、コマンドを受け取ったら、まず、ＦｌａｓｈＲＯＭ２０３に格納されたシーンの表示用データをＲＡＭ２０４に転送させた後、当該ＲＡＭ２０４から表示用データを読み取る。そして、読み取った表示用データから、該当するシーンの表示データを生成して、該表示データを液晶ワイドインパネ１００に出力する。【００６４】
このとき、システムを起動してから、液晶ワイドインパネ１００において初めて表示するシーンの場合には、上述したように、ＦｌａｓｈＲＯＭ２０３からＲＡＭ２０４に表示用データを転送する必要があるが、２回目以降であれば、ＤＩＣ２０１は、コマンドを受け取ったら、直接ＲＡＭ２０４から該当するシーンの表示用データを読み取る。これにより、表示の高速化を図ることができる。なお、ＦｌａｓｈＲＯＭ２０３からＲＡＭ２０４への表示用データの転送についての詳細は後述する。【００６５】
各シーンに対する表示用データは、図３に示すように、各シーンに対応する表示画像（表示位置などのコマンド）をデジタルデータに変換したデータである。このデータ変換は、本表示システムの設計段階において予め行う。【００６６】
上記表示用データは、図４に示すように、（Ａ），（Ｂ），（Ｃ）の３つの要素からなっている。【００６７】
要素（Ａ）は、ＤＩＣ２０１の設定やパネルなどの設定を行うためのコードを示している。具体的には、ＤＩＣ２０１自身の各種レジスタの初期化、接続している液晶ワイドインパネ１００の表示設定などの情報が、オペコード、オペランドとして含まれている。【００６８】
要素（Ｂ）は、インパネを構成する各種構成要素を表示するためのコードを示している。具体的には、ＤＩＣ２０１の表示用バッファに対して要素（Ｃ）のイメージ領域をＢｉｔＢｌｔ（bit block transfer）したり、ＤＩＣ２０１の入力ポートに接続されたＣＣＤカメラなどからの情報を表示するための領域の指定など行う。【００６９】
要素（Ｃ）は、インパネ用のイメージデータを示している。【００７０】
上記要素（Ａ）〜（Ｃ）のうち、要素（Ａ）．（Ｂ））はサイズ的に小さいものなので、ＤＩＣ２０１起動時にＲＡＭ２０４に転送する「起動時用表示データ」内に含めるが、要素（Ｃ）はサイズ的に大きなものとなるため、シーンの切り替え時に読み込む「各シーン表示用データ」とする。具体的に示すと、要素（Ａ），（Ｂ）のサイズは、例えば数１０ｂｙｔｅ程度であるが、要素（Ｃ）のサイズは、例えば数Ｋｂｙｔｅ〜数１０Ｍｂｙｔｅ程度である。【００７１】
図５は、ＦｌａｓｈＲＯＭ２０３におけるデータ領域を示している。具体的には、ＦｌａｓｈＲＯＭ２０３内を、起動時用表示データ領域２０３ａ、シーン用表示データ領域２０３ｂに分けている。【００７２】
起動時用表示データ領域２０３ａには、表示システム起動時に液晶ワイドインパネ１００に出力すべきデータが格納されるようになっている。例えば、図４に示す表示用データでは、要素（Ａ）、（Ｂ）が相当する。つまり、起動時用表示データ領域２０３ａには、ＦｌａｓｈＲＯＭ２０３からＲＡＭ２０４へのデータの転送に時間がかからないサイズの比較的小さなデータが格納されることになる。【００７３】
これに対して、シーン用表示データ領域２０３ｂには、各シーンにおいて表示されるイメージデータが格納されるようになっている。例えば、図４に示す表示用データでは、要素（Ｃ）が相当する。つまり、シーン用表示データ領域２０３ｂには、ＦｌａｓｈＲＯＭ２０３からＲＡＭ２０４へのデータの転送に時間がかかるサイズの比較的大きなデータが格納されることになる。【００７４】
上記ＦｌａｓｈＲＯＭ２０３の起動時用表示データ領域２０３ａに格納される共通データの選択方法は、以下の２通りが考えられる。【００７５】
（ａ）アルゴリズムによる選択方法
１)ユーザーが「共通データ領域サイズ」を設定する(ここだけはユーザーによる設定が必要)。ここで言う、共通データ領域サイズとは、図５に示す起動時用表示データ領域２０３ａとともに本システム起動時にＲＡＭ２０４に転送される表示用データのサイズとなる。この共通データ領域サイズを調整、すなわち、多くのシーンで利用され且つサイズが小さいものを優先的に選択することで、システム起動時間の短縮とシーン毎のＲＡＭ２０４への転送時間を調整することが可能となる。【００７６】
２）データ単体で「共通データ領域サイズ」を超えないデータを共通データとして選択する。ここで言う、データ単体とは、シーン毎の表示用データである。【００７７】
３）異なるシーンで参照されている数が多いデータを、優先して共通データとして選択する。【００７８】
４）各シーンからの参照数が同値である場合は、データサイズの小さいものを優先して共通データとして選択する。【００７９】
（ｂ）ユーザーによる選択方法
１）ユーザーが「共通データ領域サイズ」を設定する。【００８０】
２）ユーザーが「共通データ領域」に登録するデータを選択する。ここで、選択したデータの合計が上記「共通データ領域サイズ」を超えないようにチェックする。【００８１】
上記（ａ）のアルゴリズムによる選択方法では、ユーザは、「共通データ領域サイズ」のみを設定するだけで、後は、各シーンの表示用データから自動的に共通データが抽出される。【００８２】
このように、自動的に各シーンの表示用データから共通データが抽出された場合、ユーザの意図に反した選択が行われる虞がある。このような場合には、上記の（ｂ）のユーザによる選択方法で、共通データを選択する必要がある。【００８３】
しかしながら、上記（ｂ）のユーザによる選択方法では、ユーザの意図に反した共通データの選択をなくすことができるものの、各データのサイズを把握しながらチェックする必要があるので、非常に手間がかかるという問題が生じる。【００８４】
そこで、ユーザによる選択を支援するために、例えば図６に示すような共通データ選択用の支援ツール４００を使用すればよい。【００８５】
上記の支援ツール４００では、各シーン転送サイズリスト４０１、転送合計サイズ、転送予測時間合計サイズ、共通イメージデータサイズ４０２、共通ＰＧパターンデータサイズ４０３、共通モーションイメージデータサイズ４０４が表示され、ユーザは、共通イメージデータサイズ４０２、共通ＰＧパターンデータサイズ４０３、共通モーションイメージデータサイズ４０４を入力できるようになっている。【００８６】
上記各シーン転送サイズリスト４０１は、各「共通イメージデータサイズ」、「共通PG パターンデータサイズ」、「共通モーションイメージデータサイズ」の値から転送サイズ（転送容量）、転送時間を求めて表示したリストである。【００８７】
上記転送合計サイズは、上記「各シーン転送サイズリスト」の転送サイズの合計値を示している。【００８８】
上記転送予測時間合計サイズは、上記「各シーン転送サイズリスト」の転送予測時間の合計値を示している。【００８９】
上記共通イメージデータサイズ４０２は、「共通イメージデータサイズ」の入力を行うための項目である。なお、デフォルト値は”０”とする。また、データサイズは、byte 単位で入力する。【００９０】
上記共通ＰＧパターンデータサイズ４０３は、「共通PG パターンデータサイズ」の入力を行うための項目である。なお、デフォルト値は”０”とする。また、データサイズは、byte 単位で入力する。【００９１】
上記共通モーションイメージデータサイズ４０４は、「共通モーションイメージデータサイズ」の入力を行うための項目である。なお、デフォルト値は”０”とする。また、データサイズは、byte 単位で入力する。【００９２】
以上の操作により、共通データが選択され、ＦｌａｓｈＲＯＭ２０３のデータ構造が図５に示す状態とすることにより、以下に示すデータ転送処理が実行される。【００９３】
上記ＦｌａｓｈＲＯＭ２０３において、起動時用表示データ領域２０３ａは、上記の共通イメージデータを格納する「共通イメージデータ領域」、共通ＰＧパターンデータを格納する「共通PGパターンデータ領域」、共通モーションイメージデータを格納する「共通モーションイメージデータ領域」を含んだ共通データ領域となる。つまり、起動時用表示データとしての共通データは、共通イメージデータ、共通PGパターンデータ、共通モーションイメージデータから構成されている。【００９４】
なお、上記ＦｌａｓｈＲＯＭ２０３に記憶される液晶インパネシステム起動時に表示すべき画像のデータの選択基準としては、例えば、各シーンの表示時に使用される頻度が所定回数以上で、且つ、データ容量が所定容量以下であるものとしてもよい。【００９５】
このように、任意の選択基準により、ＦｌａｓｈＲＯＭ２０３に記憶される液晶インパネシステム起動時に表示すべき画像のデータを選択するようにすれば、システム全体の設計の自由度を高めることができる。【００９６】
ここでは、図７及び図８を参照しながら、データ転送処理の流れについて説明する。【００９７】
まず、図８に示すフローチャートにおいて、イグニッションがＯＮされたか否かを判断する（ステップＳ１０１）。ここで、イグニッションがＯＮされることで、表示システムが立ち上がり、ＤＩＣ２０１は、ＦｌａｓｈＲＯＭ２０３に格納された起動時用表示データ（共通データ）をＲＡＭ２０４へ転送させる（ステップＳ２）。【００９８】
具体的には、ＤＩＣ２０１は、図７の（ａ）に示すように、ＦｌａｓｈＲＯＭ２０３の起動時用表示データ領域２０３ａに格納されているデータをＲＡＭ２０４の起動時用表示データ領域に転送させる。【００９９】
次に、ＤＩＣ２０１は、ＲＡＭ２０４内の共通データを読み出して、起動時のシーンを表示させるための表示用データを生成し、当該表示用データを表示装置であるワイドインパネ１００に出力する。【０１００】
続いて、起動時のシーンを表示させた状態で、ＤＩＣ２０１は、マイコン２０２からのコマンド入力があるか否かを判断する（ステップＳ３）。ここで、マイコン２０２からのコマンド入力があると判断されれば、ステップＳ４に移行する。【０１０１】
ステップＳ４では、ＤＩＣ２０１は、指定されたコマンドに該当するシーンのデータをＦｌａｓｈＲＯＭ２０３のシーン用表示データ領域２０３ｂからＲＡＭ２０４へ転送する。【０１０２】
具体的には、ＤＩＣ２０１は、例えばコマンドに該当するシーンがシーンＢであった場合、図７の（ｂ）に示すように、ＦｌａｓｈＲＯＭ２０３のシーンＢ用表示データ領域２０３ｂに格納されているデータをＲＡＭ２０４のシーンＢ用表示データ領域２０４ｂに転送させる。【０１０３】
次に、ＤＩＣ２０１は、ＲＡＭ２０４に転送されたシーンＢ用の表示データを読み出して、当該シーンＢを表示させるための表示用データを生成し、当該表示用データを表示装置である液晶ワイドインパネ１００に出力する（ステップＳ５）。【０１０４】
そして、シーンを表示させた状態で、イグニッションがＯＦＦさたか否かを判断する（ステップＳ６）。ここで、イグニッションがＯＦＦされたと判断されれば、処理を終了し、イグニッションがＯＦＦされなければ、ステップＳ３に移行し、マイコン２０２からのコマンド入力を待つ。【０１０５】
このとき、例えばシーンＢの表示を表示させた状態で、ＤＩＣ２０１に、マイコン２０２からコマンドが入力され、シーンＣに切り替えることになった場合、ＤＩＣ２０１は、図７の（ｃ）に示すように、ＦｌａｓｈＲＯＭ２０３のシーンＣ用表示データ領域２０３ｂに格納されているデータをＲＡＭ２０４のシーンＣ用表示データ領域２０４ｂに転送させる。【０１０６】
その後は、シーンＣ用の表示データを生成して、液晶ワイドインパネ１００に出力する。【０１０７】
ここで、シーンＢ、シーンＣの表示が行われ、現在、シーンＣの表示状態、すなわち、ＲＡＭ２０４に、シーンＢ，Ｃ用の表示データが格納されている状態で、再度、シーンＢに切り替えられた場合、ＤＩＣ２０１は、ＦｌａｓｈＲＯＭ２０３からＲＡＭ２０４へのデータ（シーンＢ用のデータ）の転送を行わせずに、直接、ＲＡＭ２０４から読み出すようになっている。これにより、シーンの切替を迅速に行わせることができる。【０１０８】
具体的には、上記のＦｌａｓｈＲＯＭ２０３→ＲＡＭ２０４への転送ロジック（表示用データを生成するためのデータ転送処理）を実行した後、同ロジックをＮｏｐ（Ｎｏ  Ｏｐａｒａｔｉｏｎ）コマンドでマイコン２０２内のＲＡＭ上のコマンドを上書きして、次回より実行されないようにしている。【０１０９】
以上のことから、本実施の形態にかかる液晶インパネシステムでは、ＦｌａｓｈＲＯＭ２０３に格納される表示用データを共通データとその他のデータとに分類し、ＲＡＭ２０４へは、共通データから転送し、起動時の表示処理を速くしている。【０１１０】
これにより、液晶インパネシステムの操作性の向上を図ることができる。【０１１１】
また、上記ＤＩＣ２０１（表示用データ生成手段）は、簡易型のシーケンサー（図１５（ａ）〜図１５（ｃ））を備えていてもよい。【０１１２】
本発明において、簡易型のシーケンサーは、図１５（ａ）〜図１５（ｃ）に記載の３つの機能を少なくとも備えている必要がある。【０１１３】
すなわち、図１５（ａ）に示すように、ＤＩＣ２０１のメモリ上に配置されているコマンド群をメモリのアドレスの若い順より、順次実行する機能を有する。具体的には、メモリ上のアドレスの一番若い“００００”に格納されているＣｏｍｍａｎｄＡから、次のアドレスの“０００１”に格納されているＣｏｍｍａｎｄＢ、そして、次のアドレスの“０００２”に格納されているＣｏｍｍａｎｄＣ、・・・、というようにＣｏｍｍａｎｄをメモリのアドレス順に順次実行するＣｏｍａｎｄ自動実行機能を有する。【０１１４】
また、図１５（ｂ）に示すように、上記コマンドの順次実行を停止させるコマンドを有する。具体的には、図１５（ｂ）に示すように、メモリ上の適当なアドレスに格納されているＴＥＲＭＩＮＡＴＥコマンドにより、自動実行中のＣｏｍｍａｎｄを停止させる機能を有する。【０１１５】
さらに、図１５（ｃ）に示すように、ＤＩＣ２０１の実行状況により、条件分岐するためのコマンドを有する。具体的には、図１５（ｃ）に示すように、メモリ上の適当なアドレス（０００３）に格納されているＣＡＷコマンドにより、ＤＩＣ２０１のステータスレジスタを参照の上、フラグが立っていれば、次のアドレス（０００４）に格納されているＪＭＰの処理を飛ばし、フラグが立っていなければ、次のアドレス（０００４）に格納されているＪＭＰを実行するように条件分岐する機能を有する。【０１１６】
以上の３つの機能を少なくとも有するシーケンサーにより、上記ＦｌａｓｈＲＯＭ２０３（第１記憶部）に記憶されたデータが、上記ＲＡＭ２０４（第２記憶部）へ転送される。このように、ＤＩＣ２０１が簡易型のシーケンサーを備えることにより、マイコン２０２（ＣＰＵ）の負荷を減らすことができる。【０１１７】
本実施の形態における効果を以下に示す。【０１１８】
本実施の形態に係る液晶インパネシステムは、操縦可能な移動体（自動車）に搭載された表示システムであって、自動車に関する複数種類の情報を画像として表示する表示装置（液晶ワイドインパネ１００）と、上記液晶ワイドインパネ１００において表示すべき画像を予め設定したシーン毎に表示用データとして当該液晶ワイドインパネ１００に出力する表示用データ出力装置（液晶プラットフォーム部２００）とを備え、上記液晶プラットフォーム部２００は、上記液晶ワイドインパネ１００において表示すべきシーン全てを表示するのに必要なデータを格納する第１記憶部（ＦｌａｓｈＲＯＭ２０３）と、上記ＦｌａｓｈＲＯＭ２０３から転送されたデータを格納する第２記憶部（ＲＡＭ２０４）と、上記自動車に関する情報を取得したときに、上記ＲＡＭ２０４に転送されたデータから取得した情報に対応したデータを読み出して上記表示用データを生成し、生成した表示用データを上記液晶ワイドインパネ１００に出力する表示用データ生成手段（ＤＩＣ２０１）とを有し、上記ＤＩＣ２０１は、液晶インパネシステム起動時に、上記ＦｌａｓｈＲＯＭ２０３に記憶されたデータのうち液晶インパネシステム起動時に表示すべき画像のデータのみを上記ＲＡＭ２０４に転送させ、転送が完了したデータから上記表示用データを生成することを特徴としている。【０１１９】
上記の構成によれば、ＤＩＣ２０１は、液晶インパネシステム起動時に、上記ＦｌａｓｈＲＯＭ２０３に記憶されたデータのうち液晶インパネシステム起動時に表示すべき画像のデータのみを上記ＲＡＭ２０４に転送させ、転送が完了したデータから上記表示用データを生成することで、ＦｌａｓｈＲＯＭ２０３に記憶された全てのデータがＲＡＭ２０４へ転送されるまで待つことがなくなるので、液晶インパネシステムの起動時、最初のシーンの表示までの時間を短縮させることが可能となる。【０１２０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１２１】
最後に、液晶プラットフォーム部２００の各ブロック、特にＤＩＣ２０１は、ハードウェアロジックによって構成してもよいし、次のようにＣＰＵを用いてソフトウェアによって実現してもよい。【０１２２】
すなわち、ＤＩＣ２０１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるＤＩＣ２０１の制御プログラムのプログラムコード（実行形式プログラム、中間コードプログラム、ソースプログラム）をコンピュータで読み取り可能に記録した記録媒体を、上記ＤＩＣ２０１に供給し、そのコンピュータ（またはＣＰＵやＭＰＵ）が記録媒体に記録されているプログラムコードを読み出し実行することによっても、達成可能である。【０１２３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。【０１２４】
また、ＤＩＣ２０１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１２５】
本発明の表示システムは、自動車や電車等の車両、航空機、船舶等における情報表示システムとして広く利用可能である。
【図１】
2009060660.tif 000003
【図２】
2009060660.tif 000004
【図３】
2009060660.tif 000005
【図４】
2009060660.tif 000006
【図５】
2009060660.tif 000007
【図６】
2009060660.tif 000008
【図７】
2009060660.tif 000009
【図８】
2009060660.tif 000010
【図９】
2009060660.tif 000011
【図１０】
2009060660.tif 000012
【図１１】
2009060660.tif 000013
【図１２】
2009060660.tif 000014
【図１３（ａ）】
2009060660.tif 000015
【図１３（ｂ）】
2009060660.tif 000016
【図１４】
2009060660.tif 000017
【図１５（ａ）】
2009060660.tif 000018
【図１５（ｂ）】
2009060660.tif 000019
【図１５（ｃ）】
2009060660.tif 000020
【国際調査報告】
2009060660.tif 000021
2009060660.tif 000022
2009060660.tif 000023
2009060660.tif 000024